(57)【特許請求の範囲】
【請求項１】
垂直軸まわりに旋回し、水平軸まわりに回転するヒンジ装置により本体筐体とディスプレイ筐体とを連結するとともに、本体とディスプレイとを接続するケーブルが前記ヒンジ装置の内部を通る電子機器において、
前記垂直軸に平行であって前記垂直軸から外れた経路を通り、前記垂直軸に向けて前記水平軸と重なる経路に前記ケーブルの配線経路を設けるとともに、
前記ディスプレイ筐体に前記水平軸に重なるケーブルを覆うカバーを設け、
さらに、垂直軸まわりに回転する回転体の胴部に前記垂直軸と重なる穴を設けるとともに、前記水平軸に重なる回転体の腕部を構成する基部に前記穴に連なる凹部を設けたことを特徴とする電子機器。
【請求項２】
前記穴を塞ぐブッシュを前記穴に嵌め込むことを特徴とする請求項１に記載の電子機器。
【発明の詳細な説明】
【技術分野】
【０００１】
本発明は、垂直軸まわりに旋回し、水平軸まわりに回転するヒンジ装置により本体筐体とディスプレイ筐体とを連結する電子機器に関する。
【背景技術】
【０００２】
ノート型パソコンなどの電子機器の中には、図１２に示すように、垂直軸Ｖまわりに旋回し、水平軸Ｈまわりに回転するヒンジ装置１０４により本体筐体とディスプレイ筐体とを連結したものがある。かかる電子機器は、本体とディスプレイとを接続するケーブルＣがヒンジ装置１０４の内部に配線してある。具体的には、垂直軸Ｖと重なる経路を通り、水平軸Ｈに沿う経路にケーブルＣの配線経路が設けてある。そして、垂直軸Ｖと重なる経路に配線されたケーブルＣは、ヒンジ装置１０４に取り付けられたヒンジキャップ１０７で覆われる（たとえば、特許文献１参照）。
【先行技術文献】
【特許文献】
【０００３】
【特許文献１】特開２００６−２７７１１６号公報
【発明の概要】
【発明が解決しようとする課題】
【０００４】
ところで、ノート型のパソコンなどの電子機器は、さらなる薄型化が求められている。しかしながら、ヒンジキャップ１０７が障害となり、電子機器のさらなる薄型化を妨げていた。
【０００５】
本発明は、上記に鑑みてなされたものであって、さらなる薄型化が可能になる電子機器を提供することを目的にする。
【課題を解決するための手段】
【０００６】
上述した課題を解決し、目的を達成するために、本発明は、垂直軸まわりに旋回し、水平軸まわりに回転するヒンジ装置により本体筐体とディスプレイ筐体とを連結するとともに、本体とディスプレイとを接続するケーブルが前記ヒンジ装置の内部を通る電子機器において、前記垂直軸に平行であって前記垂直軸から外れた経路を通り、前記垂直軸に向けて前記水平軸と重なる経路に前記ケーブルの配線経路を設けるとともに、前記ディスプレイ筐体に前記水平軸に重なるケーブルを覆うカバーを設けたことを特徴とする。
【０００７】
また、本発明は、上記発明において、垂直軸まわりに回転する回転体の胴部に前記垂直軸と重なる穴を設けるとともに、前記水平軸に重なる回転体の腕部を構成する基部に前記穴に連なる凹部を設けたことを特徴とする。
【０００８】
また、本発明は、上記発明において、前記穴を塞ぐブッシュを前記穴に嵌め込むことを特徴とする。
【発明の効果】
【０００９】
本発明にかかる電子機器は、垂直軸に平行であって垂直軸から外れた経路を通り、垂直軸に向けて水平軸と重なる経路にケーブルの配線経路を設けるとともに、ディスプレイ筐体に水平軸に重なるケーブルを覆うカバーを設けたので、ケーブルを覆うカバーをヒンジ装置側に設ける必要がなくなり、電子機器のさらなる薄型化が可能になる。
【図面の簡単な説明】
【００１０】
【図１】図１は、本発明の実施の形態であるノート型パソコンを示す斜視図であって、ディスプレイを開いた状態を示す図である。
【図２】図２は、図１に示したノート型パソコンのディスプレイを閉じた状態を示す斜視図である。
【図３】図３は、図２に示したノート型パソコンの背面側を示す斜視図である。
【図４】図４は、図１に示したノート型パソコンのディスプレイが垂直軸まわりに回転する途中の状態を示す図である。
【図５】図５は、図１に示したノート型パソコンのディスプレイを１８０度回転させて折り畳んだ状態を示す斜視図である。
【図６】図６は、図３に示したヒンジ装置を示す要部拡大図である。
【図７】図７は、図６に示したヒンジ装置の外観斜視図である。
【図８】図８は、ヒンジ装置とケーブルとの関係を示す斜視図である。
【図９】図９は、図８に示したケーブルの配線経路を示す図である。
【図１０】図１０は、図８に示したＡ−Ａ断面図である。
【図１１】図１１は、図８に示したＢ−Ｂ断面図である。
【図１２】図１２は、背景技術で説明するヒンジ装置を示す斜視図である。
【発明を実施するための形態】
【００１１】
以下に、本発明にかかる電子機器の実施の形態を図面に基づいて詳細に説明する。ここでは、ノート型パソコンを例に説明するが、ノート型パソコンに限られるものではなく、携帯電話機やＰＤＡ（Personal  Digital  Assistant）などの電子機器に適用可能である。
【００１２】
図１〜図５は、本発明の実施の形態であるノート型パソコンを示す斜視図である。図１〜図５に示すように、本発明の実施の形態であるノート型パソコン１は、コンバーチブルのノート型パソコンであって、通常のノート型パソコンと同様に、本体２に対してディスプレイ３を開いた状態（図１参照）で使用するとともに、本体２に対してディスプレイ３を閉じた状態（図２および図３参照）で持ち運ぶことができ、また、ディスプレイ３を１８０度回転させて折り畳んだ状態（図５参照）でタブレット型のパソコンとしても使用できる。
【００１３】
本発明の実施の形態であるノート型パソコン１は、本体２と、ディスプレイ３と、これらを連結するヒンジ装置４とを備えている。
【００１４】
図１に示すように、本体２は、平面視矩形の薄い箱状に形成した本体筐体２１の中に、ＣＰＵ等の制御手段や、メモリ、ハードディスク等の記憶手段、電源装置等のコンピュータを構成する部品を備えている。本体筐体２１の上面には、入力装置としてのキーボード２２が設置してある。キーボード２２は、文字や記号が印字された複数のキートップ２２１を備えており、キートップ２２１を押下すると、そのキートップ２２１に対応する信号が制御手段に入力される。
【００１５】
図２に示すように、ディスプレイ３は、平面視矩形の薄い箱状に形成したディスプレイ筐体３１の中に、ディスプレイ（表示器）３２や、アンテナなどの通信手段、タッチパネル等の入力手段を構成する部品を備えており、各種情報がディスプレイ３２に表示出力される。
【００１６】
ヒンジ装置４は、本体筐体２１とディスプレイ筐体３１との間に設けられ、本体（本体筐体２１）２とディスプレイ（ディスプレイ筐体３１）３とを連結する。ヒンジ装置４は、垂直軸Ｖと水平軸Ｈの２軸まわりに回転可能であって、図４に示すように、本体２とディスプレイ３とを連結した状態でディスプレイ３が垂直軸Ｖまわりに回転し、図１および図２に示すように、本体２とディスプレイ３とを連結した状態でディスプレイ３が水平軸Ｈまわりに回転する。
【００１７】
図６は、図３に示したヒンジ装置を示す要部拡大図であり、図７は、図６に示したヒンジ装置の外観斜視図である。また、図８は、ヒンジ装置とケーブルとの関係を示す斜視図であり、図９は、図８に示したケーブルの配線経路を示す図である。また、図１０は、図８に示したＡ−Ａ断面図、図１１は、図８に示したＢ−Ｂ断面図である。
【００１８】
図７に示すように、ヒンジ装置４は、ベースプレート５と回転体６を備えている。ベースプレート５は、ヒンジ装置４において基台となるもので、本体筐体２１に取り付けられる。ベースプレート５は、図７において右側に表れる一対の後縁側突起５１を下方に折り曲げた平面視略矩形となる板状体により構成してある。ベースプレート５には、上下方向に貫通する複数の取付孔５０ａと後縁側突起を前後方向に貫通する取付孔５１ａとが設けてあり、ベースプレート５は、これらの取付孔５０ａ，５１ａを挿通するねじ（図示せず）により、本体筐体２１に取り付けられる。また、ベースプレート５の略中央には、上下方向に貫通する貫通穴（図示せず）が設けてある。貫通穴は、回転体６を回転可能に取り付けるためのもので、平面視円形に設けてある。
【００１９】
回転体６は、ヒンジ装置４において垂直軸Ｖまわりに回転するもので、胴部６１と一対の腕部６２を有している。胴部６１は、上述した貫通穴に挿通する円柱状に形成してあり、胴部６１が貫通穴に挿通することにより、回転体６は貫通穴に回転可能に取り付けられる。これにより、回転体６は、貫通穴の中心を通る垂直軸Ｖまわりに旋回可能となる。
【００２０】
一対の腕部６２は、胴部６１の上に、上述した垂直軸Ｖと交差する水平軸Ｈ上に設けてある。腕部６２は、基部６２１、太径部６２２、軸部６２３を有している。基部６２１は、直方体形状に形成してあり、その中心が上述した水平軸Ｈ上にある。同様に、太径部６２２、軸部６２３は、円柱形状であり、これらの中心も上述した水平軸Ｈ上にある。また、軸部６２３の太径部(基端)６２２側は、横断面が正円をなすように形成され、この部分がステイ６３、回転カム６４に嵌め込まれ、ステイ６３、回転カム６４が一体となって回転する。軸部６２３の先端側は、一対の平坦面が設けてあり、その横断面は、正円の両側が切り欠かれた異形をなすように形成してある。この部分が固定カム６５、複数の皿バネ６６に嵌め込まれ、固定カム６５は、軸部６２３の周方向において固定される。
【００２１】
また、軸部６２３の先端側には、雄ネジ（図示せず）が形成してある。雄ネジには、ナット６７に形成された雌ネジ（図示せず）が螺合し、上述したステイ６３、回転カム６４、固定カム６５、複数の皿バネ６６が取り付けられる。
【００２２】
上述したステイ６３は、ディスプレイ筐体３１を取り付けるためのもので、板状体を折り曲げることにより形成してある。ステイ６３は、軸部６２３が挿通する軸穴（図示せず）から軸穴の直径方向外側に延在した後、９０度折り曲げられて、ディスプレイ筐体３１の外側に向けて延在している。また、その先端手前側は、９０度折り曲げられて取付部６３ａとなる。取付部６３ａには、ディスプレイ筐体３１に設けたネジ孔（図示せず）と重なる貫通孔６３ａ１が設けてあり、貫通孔６３ａ１を挿通した小ネジ（図示せず）をネジ孔にねじ込むことにより、ステイ６３がディスプレイ筐体３１に取り付けられる。
【００２３】
回転カム６４と固定カム６５とは、本体２とディスプレイ３との間に所望の開閉負荷（トルク）を発生させるためのもので、この開閉負荷によって本体２に対するディスプレイ３の閉塞状態が維持され、本体２に対して任意の位置まで開放操作したディスプレイ３がその位置で保持される。
【００２４】
また、回転体６の胴部６１には、上述した垂直軸Ｖと重なる穴６１ａが設けてあり、回転体６の腕部６２を構成する基部６２１には、穴６１ａに連なり、上述した水平軸Ｈに重なる凹部６２１ａが設けてある。穴６１ａは、断面長円形に形成してあり、平面視矩形に現れる一方、底面視長円形に現れる。穴６１ａおよび凹部６２１ａは、本体２とディスプレイ３とを接続するケーブルＣ１〜Ｃ６の配線経路となり、たとえば、６本のケーブル（Ｃ１〜Ｃ６を配線する場合には、そのうち何本（たとえば、Ｃ１〜Ｃ３）かは穴６１ａの一端側から一方の凹部６２１ａを通り、残りの何本（たとえば、Ｃ４〜Ｃ６）かは穴６１ａの他端側から他方の凹部６２１ａを通る。
【００２５】
これにより、ケーブルＣ１〜Ｃ６は、上述した垂直軸Ｖと平行であって、垂直軸Ｖから外れた経路を通り、垂直軸Ｖに向けて上述した水平軸Ｈに重なる経路を通る。なお、ここでは、説明の便宜上、本体２からディスプレイ３に向けて配線するように説明したが、ディスプレイ３から本体２に向けて配線するものであってもよい。
【００２６】
そして、穴６１ａの中央となる部分には、ゴム製のブッシュ６８を嵌め込み、ケーブルＣ１〜Ｃ６が穴の中央（垂直軸）から外れた位置を通るように規制するとともに、穴６１ａを塞ぎ、本体２の防水性、防塵性を高める。また、外部からヒンジ内部を通るケーブルＣ１〜Ｃ６が見えなくなり、外観の向上に資する。
【００２７】
上述した本発明の実施の形態であるノート型パソコン１は、ケーブルＣ１〜Ｃ６を覆うカバーが垂直軸を横切ることができるので、図１０および図１１に示すように、ディスプレイ筐体３１とディスプレイ筐体３１と重なるベゼル３３とにカバー３１ａ，３３ａを設けることができるので、ヒンジ装置４側にカバーを設ける必要がなくなり、ノート型パソコン１のさらなる薄型化が可能になる。
【符号の説明】
【００２８】
１    ノート型パソコン
２    本体
２１    本体筐体
２２    キーボード
２２１    キートップ
３    ディスプレイ
３１    ディスプレイ筐体
３１ａ    カバー
３２    ディスプレイ（表示器）
３３    ベゼル
３３ａ    カバー
４    ヒンジ装置
５    ベースプレート
５０ａ    取付孔
５１    後縁側突起
５１ａ    取付孔
６    回転体
６１    胴部
６１ａ    穴
６２    腕部
６２１    基部
６２１ａ    凹部
６２２    太径部
６２３    軸部
６３    ステイ
６３ａ    取付部
６３ａ１    貫通孔
６４    回転カム
６５    固定カム
６６    皿バネ
６７    ナット
Ｈ    水平軸
Ｖ    垂直軸
【図１】
0005483762.tif 000002
【図２】
0005483762.tif 000003
【図３】
0005483762.tif 000004
【図４】
0005483762.tif 000005
【図５】
0005483762.tif 000006
【図６】
0005483762.tif 000007
【図７】
0005483762.tif 000008
【図８】
0005483762.tif 000009
【図９】
0005483762.tif 000010
【図１０】
0005483762.tif 000011
【図１１】
0005483762.tif 000012
【図１２】
0005483762.tif 000013